(57)【要約】【課題】マイクロカプセル型電気泳動表示装置の３階調駆動等を達成する。【解決手段】マイクロカプセル型電気泳動表示装置の画面を構成する電気泳動素子１００-mnを駆動するフレームを複数のマイナスフレーム群と複数のプラスフレーム群とに分ける。３階調以上の電気泳動素子-mnの駆動において、同色（同階調）が継続する場合においても、また、異色（異階調）が継続する場合においても、マイナスフレーム群で走査ドライバ１２及びデータドライバ１４による電気泳動素子１００-mnの書込みを行うフレーム数とプラスフレーム群で書込みを行うフレーム数とを一致させると共に、粒子の移動を遅緩させる要因の大きい粒子に対して書込みを行うフレーム群を画面内の最後のフレーム群にする。【選択図】図１
2007178785.tif 000002
【特許請求の範囲】
【請求項１】
第１の方向に沿って互いに平行して延びる複数の信号線と、前記第１の方向と直交する第２の方向に沿って平行して延びる複数の走査線と、前記信号線と前記走査線との交点と１対１に対応して設けられた複数の画素電極を配置している第１の基板と、前記画素電極と対向する透明な対向電極を有する第２の基板と、前記画素電極と前記対向電極との間に移動可能に収蔵される互いに異なる色及び極性を持つ第1の帯電着色粒子及び第２の帯電着色粒子とを有し、前記画素電極と前記対向電極毎に電気泳動素子を形成している電気泳動表示パネルと、
前記信号線及び前記走査線を介して前記画素電極に接続されると共に前記対向電極に接続され、前記電気泳動表示パネルの表示面に前記異なる色と前記異なる色の中間調の色とからなるパターンの画面を表示させる際に、前記パターンの画素を表示する前記電気泳動素子の前記画素電極と前記対向電極との間に前記電気泳動素子に表示しようとする色に対応する電位差を所定数のフレームの期間印加する印加手段とを有する電気泳動表示装置であって、
前記印加手段は、
前記電気泳動素子に表示しようとする色毎の前記電位差を所定の順序で出力させるフレーム群を前記画面毎に生成する第１の手段と、
前記画面の表示において、前記第１の手段によって順次生成される前記フレーム群において当該フレーム群の電位差を当該フレームで表示すべき前記パターンの前記画素に対応する前記電気泳動素子の前記画素電極と前記対向電極との間に印加する第２の手段とを有して構成されることを特徴とする電気泳動表示装置。
【請求項２】
前記第２の手段は、前記表示面に表示される前記色を継続して表示しようとするとき、当該色に対応する前記フレーム群の前又は後の、当該色以外の色に対応する前記フレーム群であって、かつ、当該色に対応する前記電位差とは逆極性の電位差を出力させる前記フレーム群で前記逆極性の電位差を前記電気泳動素子の前記画素電極と前記対向電極との間に印加する第３の手段を備えることを特徴とする請求項１記載の電気泳動表示装置。
【請求項３】
前記第２の手段は、任意の前記画面で前記電気泳動素子に前記所定の電位差を印加させるのに必要なフレーム数と、前記画面に続く前記画面であって前記所定の電位差を印加させていた前記電気泳動素子に前記所定の電位差とは逆極性の電位差を印加させるときのフレーム数とを略同一にする第４の手段を備えることを特徴とする請求項１又は２記載の電気泳動表示装置。
【請求項４】
前記第４の手段は、第１の画面で前記電気泳動素子に前記所定の電位差を印加させるのに必要なフレーム数Ｔ１と、前記第1の画面に続く第２の画面で前記所定の電位差を印加させていた前記電気泳動素子に前記所定の電位差とは逆極性の前記電位差を印加させるときのフレーム数Ｔ２と、前記第2の画面に続く第３の画面で前記逆極性の電位差を印加させていた前記電気泳動素子に前記逆極性の電位差を印加させるときのフレーム数Ｔ３と、前記第3の画面に続く第４の画面で前記逆極性の電位差を印加させていた前記電気泳動素子に前記所定の電位差を印加させるときのフレーム数Ｔ４との間に、次式
Ｔ２＋Ｔ３＝Ｔ１＋Ｔ４
を成立させるように構成されることを特徴とする請求項３記載の電気泳動表示装置。
【請求項５】
前記第２の手段は、前記電気泳動素子の電界応動能力が低い帯電粒子を前記対向電極へ移動させるフレーム群を画面形成の最後のフレーム群に設定する第５の手段を備えることを特徴とする請求項１、２、３又は４記載の電気泳動表示装置。
【請求項６】
前記第２の手段は、前記画面を切り換える際に前記電位差が異なるとき、前記切り換え前に印加されている前記電位差と前記切り換え後に印加しようとする前記電位差との中間の電位差を前記電気泳動素子の前記画素電極と前記対向電極との間に印加する第６の手段を備えることを特徴とする請求項１乃至５のいずれか一に記載の電気泳動表示装置。
【請求項７】
前記第６の手段は、前記画面の切り換えにおいて、前記電気泳動素子に表示されていた色を前記色のうちの１つの色から前記他の色へ変更する際に前記電気泳動素子の前記画素電極と前記対向電極との間に印加される前記中間の電位差をＶ１とするときの該中間の電位差Ｖ１を印加するフレーム数をＴ１とし、前記電気泳動素子に表示されていた色を前記他の色から前記１つの色へ変更する際に前記電気泳動素子の前記画素電極と前記対向電極との間に印加される前記中間の電位差をＶ２とするときの該中間の電位差Ｖ２を印加するフレーム数をＴ２とするとき、
Ｖ１×Ｔ１＝Ｖ２×Ｔ２
を成立させるように構成されることを特徴とする請求項６記載の電気泳動表示装置。
【請求項８】
前記電気泳動表示パネルは、前記第１の基板の前記画素電極が、前記走査線の信号によって制御されるゲート素子を介して前記信号線に接続され、前記第２の基板が前記第１の基板全域と対向する一枚の透明な対向電極を有し、前記第１の帯電着色粒子及び前記第２の帯電着色粒子はカプセル内に充填される溶媒中に浮遊せしめられ、前記カプセルは前記第１の基板と前記第２の基板との間のバインダ中に敷き詰められていることを特徴とする請求項１乃至７のいずれか一に記載の電気泳動表示装置。
【請求項９】
前記異なる色は、黒色と白色であり、前記中間調の色は灰色であることを特徴とする請求項１乃至８のいずれか一に記載の電気泳動表示装置。
【請求項１０】
前記異なる色は、黒色と白色とであり、前記中間調の色は明灰色と暗灰色とであることを特徴とする請求項１乃至８のいずれか一に記載の電気泳動表示装置。
【請求項１１】
明灰色と暗灰色との間の遷移を白色を介して行うことを特徴とする請求項１０記載の電気泳動表示装置。
【請求項１２】
第１の方向に沿って互いに平行して延びる複数の信号線と、前記第１の方向と直交する第２の方向に沿って平行して延びる複数の走査線と、前記信号線と前記走査線との交点と１対１に対応して設けられた複数の画素電極を配置している第１の基板と、前記画素電極と対向する透明な対向電極を有する第２の基板と、前記画素電極と前記対向電極との間に移動可能に収蔵される互いに異なる色及び極性を持つ第1の帯電着色粒子及び第２の帯電着色粒子とを有し、前記画素電極と前記対向電極毎に電気泳動素子を形成している電気泳動表示パネルの表示面に前記異なる色と前記異なる色の中間調の色とからなるパターンの画面を表示させる際に、前記パターンの画素を表示する前記電気泳動素子の前記画素電極と前記対向電極との間に前記電気泳動素子に表示しようとする色に対応する電位差を所定数のフレームの期間印加して前記画面を表示させる電気泳動表示装置の駆動方法であって、
前記電気泳動素子に表示しようとする色毎の前記電位差を所定の順序で出力させるフレーム群を前記画面毎に生成し、
前記画面の表示において、前記第１の手段によって順次生成される前記フレーム群において当該フレーム群の電位差を当該フレームで表示すべき前記パターンの前記画素に対応する前記電気泳動素子の前記画素電極と前記対向電極との間に印加することを特徴とする電気泳動表示装置の駆動方法。
【請求項１３】
前記表示面に表示される前記色を継続して表示しようとするとき、当該色に対応する前記フレーム群の前又は後の、当該色以外の色に対応する前記フレーム群であって、かつ、当該色に対応する前記電位差とは逆極性の電位差を出力させる前記フレーム群で前記逆極性の電位差を前記電気泳動素子の前記画素電極と前記対向電極との間に印加することを特徴とする請求項１２記載の電気泳動表示装置の駆動方法。
【請求項１４】
任意の前記画面で前記電気泳動素子に前記所定の電位差を印加させるのに必要なフレーム数と、前記画面に続く前記画面であって前記所定の電位差を印加させていた前記電気泳動素子に前記所定の電位差とは逆極性の電位差を印加させるときのフレーム数とを略同一にすることを特徴とする請求項１２又は１３記載の電気泳動表示装置の駆動方法。
【請求項１５】
第１の画面で前記電気泳動素子に前記所定の電位差を印加させるのに必要なフレーム数Ｔ１と、前記第1の画面に続く第２の画面で前記所定の電位差を印加させていた前記電気泳動素子に前記所定の電位差とは逆極性の前記電位差を印加させるときのフレーム数Ｔ２と、前記第2の画面に続く第３の画面で前記逆極性の電位差を印加させていた前記電気泳動素子に前記逆極性の電位差を印加させるときのフレーム数Ｔ３と、前記第3の画面に続く第４の画面で前記逆極性の電位差を印加させていた前記電気泳動素子に前記所定の電位差を印加させるときのフレーム数Ｔ４との間に、次式
Ｔ２＋Ｔ３＝Ｔ１＋Ｔ４
を成立させることを特徴とする請求項１４記載の電気泳動表示装置の駆動方法。
【請求項１６】
前記電気泳動素子の電界応動能力が低い帯電粒子を前記対向電極へ移動させるフレーム群を画面形成の最後のフレーム群に設定することを特徴とする請求項１２、１３、１４又は１５記載の電気泳動表示装置の駆動方法。
【請求項１７】
前記画面を切り換える際に前記電位差が異なるとき、前記切り換え前に印加されている前記電位差と前記切り換え後に印加しようとする前記電位差との中間の電位差を前記電気泳動素子の前記画素電極と前記対向電極との間に印加することを特徴とする請求項１２乃至１６のいずれか一に記載の電気泳動表示装置の駆動方法。
【請求項１８】
前記画面の切り換えにおいて、前記電気泳動素子に表示させていた色を前記色のうちの１つの色から前記他の色へ変更する際に前記電気泳動素子の前記画素電極と前記対向電極との間に印加される前記中間の電位差をＶ１とするときの該中間の電位差Ｖ１を印加するフレーム数をＴ１とし、前記電気泳動素子に表示させていた色を前記他の色から前記１つの色へ変更する際に前記電気泳動素子の前記画素電極と前記対向電極との間に印加される前記中間の電位差をＶ２とするときの該中間の電位差Ｖ２を印加するフレーム数をＴ２とするとき、
Ｖ１×Ｔ１＝Ｖ２×Ｔ２
を成立させることを特徴とする請求項１７記載の電気泳動表示装置の駆動方法。
【請求項１９】
前記電気泳動表示パネルは、前記第１の基板の前記画素電極が、前記走査線の信号によって制御されるゲート素子を介して前記信号線に接続され、前記対向基板が前記第１の基板全域と対向する一枚の透明な対向電極を有し、前記第１の帯電着色粒子及び前記第２の帯電着色粒子はカプセル内に充填される溶媒中に浮遊せしめられ、前記カプセルは前記第１の基板と前記対向基板との間のバインダ中に敷き詰められていることを特徴とする請求項１２乃至１８のいずれか一に記載の電気泳動表示装置の駆動方法。
【請求項２０】
前記異なる色は、黒色と白色であり、前記中間調の色は灰色であることを特徴とする請求項１２乃至１９のいずれか一に記載の電気泳動表示装置の駆動方法。
【請求項２１】
前記異なる色は、黒色と白色とであり、前記中間調の色は明灰色と暗灰色とであることを特徴とする請求項１２乃至１９のいずれか一に記載の電気泳動表示装置の駆動方法。
【請求項２２】
明灰色と暗灰色との間の遷移を白色を介して行うことを特徴とする請求項２１記載の電気泳動表示装置の駆動方法。
【発明の詳細な説明】
【技術分野】
【０００１】
この発明は、電気泳動表示装置及びその駆動方法に関し、詳しくは表示に残像、焼付きを生じさせず、良好な表示を行うことのできる電気泳動表示装置及びその駆動方法に関する。
【背景技術】
【０００２】
電子的表示装置において、電子書籍、電子新聞等の目による読取りに際して、目にストレスを生じさせることなくその読取りを可能にするディスプレイとして、電子ペーパーディスプレイがあり、その開発も鋭意行われている。この電子ペーパーディスプレイに対する要求としては、薄型、軽量、割れに難いこと、印刷レベルとしての見易さ等がある。
これらの要求を満たす表示装置としては、バックライトを用いず、消費電力の少ない反射型ディスプレイがある。
【０００３】
偏向板を用いない反射型ディスプレイとしては、電気泳動型表示装置（以下、ＥＰＤ（Ｅlectrophoretic Ｄisplay）ともいう）等がある。ＥＰＤにも、幾つかの形式のものがあるが、以下においては、マイクロカプセル型電気泳動素子（電気泳動素子ともいう）を用いたＥＰＤについて説明する。
図１５は、モノクロのマイクロカプセル型電気泳動素子のｍ行ｎ列のマトリクス状配列のｍ列の断面図を示す。マイクロカプセル型電気泳動素子の各々は、図１５に示すように、ＴＦＴガラス基板１０２と、電気泳動フィルム１１０と、ＰＥＴ（Ｐoly Ｅthylene Ｔerephthalete）対向基板１２０とをこの順序で積層した積層構造の中に形成され、例えば、ｍ行のマイクロカプセル型電気泳動素子１００-m1、１００-m2、１００-m3が形成されている。
【０００４】
ＴＦＴガラス基板１０２には、電気泳動素子１００-m1、１００-m2、１００-m3対応に、１個のＴＦＴ１０４-m1、１０４-m2、１０４-m3と、このＴＦＴ１０４-m1、１０４-m2、１０４-m3に接続される画素電極１０６-m1、１０６-m2、１０６-m3とが設けられている。また、ストレージ電極１０８-m1、１０８-m2、１０８-m3も電気泳動素子毎に設けられる。
電気泳動フィルム１１０は、ポリマーのバインダ１１２の中に約４０μmのマイクロカプセル１１４が敷き詰められている。このマイクロカプセル１１４の各々は、従来、マイクロカプセル型電気泳動表示装置の画素電極の寸法より或る値だけ小さい。マイクロカプセル１１４の内部には、溶媒１１６が注入されており、その溶媒１１６中にナノレベルの大きさの、マイナスに帯電された白色顔料（白色粒子、例えば、酸化チタン）１１７と、プラスに帯電された黒色顔料（黒色粒子、例えば、炭素）１１８とが無数浮遊せしめられている。
ＰＥＴ対向基板１２０は、ＴＦＴガラス基板１０２の各画素電極１０６-m1、１０６-m2、１０６-m3と対向する一枚の対向電極１２２がプラスチック基板１２４に貼り付けられて形成されている。
したがって、マイクロカプセル型電気泳動素子１００-m1、１００-m2、１００-m3の各々は、各画素対応のＴＦＴ１０４-m1、１０４-m2、１０４-m3、画素電極１０６-m1、１０６-m2、１０６-m3、マイクロカプセル１１４及び対向電極１２２の対応部によって形成されている。
【０００５】
マイクロカプセル型電気泳動表示装置のマイクロカプセル型電気泳動素子のマトリクス状配列を平面上で模式的に示したのが図１６である。図１６の構成要素のうち、図１５と同一の構成要素には同一の参照番号を付してある。
図１６において、データ線Ｄnは、図１６に示すマイクロカプセル型電気泳動表示装置のマトリクス状配列の電気泳動素子１００-mn（ｍ＝１、２、…、Ｍ、ｎ＝１、２、…、Ｎ）のうちの水平方向の各電気泳動素子１００-mi（ｉ＝１、２、…、Ｎ）に表示データ信号を供給する線を代表して示す線である。また、図１６において、走査線Ｇｍは、図１６に示すマイクロカプセル型電気泳動表示装置のマトリクス状配列の電気泳動素子１００-mnのうちの水平方向の電気泳動素子群１００-m1、１００-m2、…、１００-mＮに１走査線期間走査電圧を供給する線を代表して示す線である。
【０００６】
図１７は、マイクロカプセル型電気泳動表示装置の駆動回路１４０を示し、この駆動回路１４０は、マトリクス状配列の電気泳動素子のうちの水平方向の電気泳動素子群（１００-m1、１００-m2、…、１００-mＮ）毎に１走査線期間走査電圧を順次に供給する走査ドライバ１４２と、マトリクス状配列の電気泳動素子のうちの水平方向の各電気泳動素子１００-miに各データ線Ｄｎを介して表示データ信号を順次に供給するデータドライバ１４４とを示す図である。
図１８は、データドライバ１４４を構成するデータ線Ｄｎ毎のデータ信号発生回路１４５を示す図で、画面データに応答して選択信号を発生する選択信号発生回路１４６と、選択信号発生回路１４６から出力される選択信号対応の電圧をデータ線Ｄｎに出力する電圧選択回路１４７とからなる。
【０００７】
上述のように構成されるマイクロカプセル型電気泳動表示装置は、次のようにしてマイクロカプセル型電気泳動素子１００-mnの画素電極１０６-mnに電圧が印加されてマイクロカプセル型電気泳動表示装置の画面に入力される画面データ対応の画像が表示される。
【０００８】
すなわち、マイクロカプセル型電気泳動表示装置の画面内の或る画素対応の電気泳動素子を白の表示状態（以下、Ｗともいう）で表示したいときには、その電気泳動素子１００-mnの画素電極１０６-mnに負の電圧、例えば、−１５ボルトの電圧をデータドライバ１４４の当該画素電極１０６-mnに接続されているデータ線、例えば、データ線Ｄｎにデータドライバ１４４から所要フレーム数の間出力する。これを図１８を用いて説明すると、画面データを受け取る選択信号発生回路１４６は、上記画素に対応する選択線、例えば、選択線１５２-n上に当該画素期間負の電圧を出力する。これにより、電圧選択回路１４７のpMOS、例えば、pMOS１５４-nはオンしてデータ線Ｄｎに−１５ボルトの電圧を出力する。
【０００９】
また、マイクロカプセル型電気泳動表示装置の画面内の或る画素対応の電気泳動素子を黒の表示状態（以下、Ｂともいう）で表示したいときには、その電気泳動素子１００-mnの画素電極１０６-mnに正の電圧、例えば、＋１５ボルトの電圧をデータドライバ１４４の当該画素電極１０６-mnに接続されているデータ線、例えば、データ線Ｄｎにデータドライバ１４４から所要フレーム数の間出力する。これを図１８を用いて説明すると、画面データを受け取る選択信号発生回路１４６は、上記画素に対応する選択線、例えば、選択線１５６-n上に当該画素期間負の電圧を出力する。これにより、電圧選択回路１４７のpMOS、例えば、pMOS１５８-nはオンしてデータ線Ｄｎに＋１５ボルトの電圧を出力する。
【００１０】
このようにしてモノクロの表示を行うマイクロカプセル型電気泳動表示装置  は、メモリ特性を有しているため、画素の表示をＷ→Ｂ又はＢ→Ｗに切り換える場合には、上述したと同様の電圧を切り換えたい画素対応の電気泳動素子の画素電極に印加する必要があるが、画素をＷ→Ｗ又はＢ→Ｂで表示する場合には、電気泳動素子がメモリ特性を有していることから基本的にはその画素に電圧を印加する必要はない。
【００１１】
このようなマイクロカプセル型電気泳動表示装置の駆動について、本発明者が解析した例を説明すると、次の通りである。
上述したと同様、電気泳動フィルムは、Ｗ→Ｂへの遷移の場合に画素電極に正の電圧を、又Ｂ→Ｗへの遷移の場合に画素電極に負の電圧を、Ｗ→Ｗ、Ｂ→Ｂでは０ボルトの電圧を印加する必要がある。
【００１２】
また、マイクロカプセル型電気泳動表示装置の駆動において、液晶等のアクティブマトリクス型表示装置のように、１／６０Ｈｚ＝１６．６msを１フレームとして１フレームで画面を書き換えることはできない。
これは、マイクロカプセル型電気泳動素子は、粒子が溶媒の入ったマイクロカプセル中に閉じ込まれており、粒子の応答性が悪く、複数フレームの期間電圧を印加し続けないと画面の書き換えが完了しないからである。
このため、マイクロカプセル型電気泳動表示装置では、一般に、図１９に示すように、複数フレームの期間、Ｂ（黒色）からＷ（白色）への書き換えの場合一定の負の電圧を、また、Ｗ（白色）からＢ（黒色）への書き換えの場合一定の正の電圧を印加し続けるＰＷＭ駆動（ＰＷＭはＰulse Ｗidth Ｍodulationの略である）を行う。
【００１３】
図１９に示す駆動を実現するために、従来の例では、ＳＲＡＭで構成されたフレームバッファーに前の画面を記憶し、次の画面との差分を取ることにより、Ｂ→Ｗ、Ｗ→Ｂのときに複数フレームの期間の間対応する電圧を印加していると考えられる。電圧の印加の仕方は、Ｈ−Ｄriver（走査ドライバ）に３値（＋Ｖ、０ボルト、−Ｖ）ドライバを用い、Ｖcom電圧は０ボルトとしている。各フレーム内の画素のＢ→Ｗ、Ｗ→Ｂへの書き換えを行う画素については、当該フレームの対応時刻に行っている。
【発明の開示】
【発明が解決しようとする課題】
【００１４】
上述した従来のマイクロカプセル型電気泳動表示装置について本発明者によりさらに解析をしたところ、次のような技術的課題があることが判明した。
マイクロカプセル型電気泳動素子は、メモリ性を有しているが、マイクロカプセル型電気泳動素子を図２０に示す駆動態様で駆動した場合、画素電極に電圧を印加しないマイクロカプセル型電気泳動素子の駆動時の白輝度の低下や黒輝度の上昇があることが認められた。これは、マイクロカプセル型電気泳動素子のゲート線やデータ線の影響や対向電極の共通電位のＤＣ成分のためと考えられる。
そのため、Ｗ→Ｗの場合や、Ｂ→Ｗの場合には、白輝度に差が生じ（図２１、図２２参照）、次の画面の表示時に、前の画面が残るという第1の残像の問題がある。
また、Ｂ→Ｂの場合や、Ｗ→Ｂの場合にも同様の問題がある。
【００１５】
さらに、高精細の電子書籍表示端末装置を作ったり、２階調でディザパターンを表示したり、カラー化したりするためには、画素ピッチを１５０μｍ以下にする必要がある。このように、画素ピッチを挟ピッチにすると、或るマイクロカプセル型電気泳動素子が隣のマイクロカプセル型電気泳動素子に印加される画素電圧の影響を受けることが認められた。
これを具体的に言うと、２階調表示でディザパターンを表示するために、例えば、前の画面（Ｃurrent Ｉmage）がそのパターンを黒で表示し、後の画面（Ｎext Ｉmage）が市松模様で表示すると、黒が浮く、すなわち、画素本来の表示領域が縮小されることが認められた。
例えば、前の画面に何か領域的な黒の文字を表示し、次の画面でディザ表示をした場合に、前の文字が残るという第２の残像の問題がある。
【００１６】
この問題は、従来の駆動法においては、前の画面で表示される図２３の左に示すＮＴＬなる文字領域（黒）の画素とディザパターンの黒画素では画素電圧が書き込まれないから、画素電極が１００乃至１５０μｍ程度の微細なパターンになると、隣の画素の白表示の電圧を拾ってしまい、その隣の画素の画素電極上に位置するマイクロカプセルの中の白粒子が表面に出て来てしまう（図２４）ために起こることが判った。
【００１７】
上述したように、黒色（Ｂ）→白色（Ｗ）→黒色（Ｂ）→白色（Ｗ）と画面を切り替えている場合には、＋１５Ｖ、−１５Ｖ、＋１５Ｖ、−１５Ｖなる正負の電圧が順次画素の画素電極に交互に印加されて行くから、電気泳動素子に直流電圧は掛からない。
しかしながら、黒色（Ｂ）→黒色（Ｂ）→黒色（Ｂ）と黒状態を表示しようとして多数のフレーム数の間＋１５Ｖの電圧を画素電極に印加したり、また白色（Ｗ）→白色（Ｗ）→白色（Ｗ）と白状態を表示しようとして多数のフレーム数の間−１５Ｖの電圧を画素電極に印加し続けると、それらの電圧が印加される電気泳動素子に恒常的にプラス又はマイナスの直流電位が印加され続けることになる。
そのため、電気泳動フィルムがチャージアップし、０Ｖにして画像の表示を止めても、チャージアップ部のみ表示させていた画像の反転の表示状態が表示される焼付きの問題が起こることが判った。
【００１８】
この発明は、上述の事情に鑑みてなされたもので、残像、焼付けの発生を防止し得る電気泳動表示装置及びその駆動方法を提供することを目的としている。
【課題を解決するための手段】
【００１９】
上記課題を解決するために、請求項１記載の発明は、第１の方向に沿って互いに平行して延びる複数の信号線と、上記第１の方向と直交する第２の方向に沿って平行して延びる複数の走査線と、上記信号線と上記走査線との交点と１対１に対応して設けられた複数の画素電極を配置している第１の基板と、上記画素電極と対向する透明な対向電極を有する第２の基板と、上記画素電極と上記対向電極との間に移動可能に収蔵される互いに異なる色及び極性を持つ第1の帯電着色粒子及び第２の帯電着色粒子とを有し、上記画素電極と上記対向電極毎に電気泳動素子を形成している電気泳動表示パネルと、上記信号線及び上記走査線を介して上記画素電極に接続されると共に上記対向電極に接続され、上記電気泳動表示パネルの表示面に上記異なる色と上記異なる色の中間調の色とからなるパターンの画面を表示させる際に、上記パターンの画素を表示する上記電気泳動素子の上記画素電極と上記対向電極との間に上記電気泳動素子に表示しようとする色に対応する電位差を所定数のフレームの期間印加する印加手段とを有する電気泳動表示装置に係り、上記印加手段は、上記電気泳動素子に表示しよとする色毎の上記電位差を所定の順序で出力させるフレーム群を上記画面毎に生成する第１の手段と、上記画面の表示において、上記第１の手段によって順次生成される上記フレーム群において当該フレーム群の電位差を当該フレームで表示すべき上記パターンの上記画素に対応する上記電気泳動素子の上記画素電極と上記対向電極との間に印加する第２の手段とを有して構成されることを特徴としている。
【００２０】
請求項２記載の発明は、請求項１記載の電気泳動表示装置に係り、上記第２の手段は、上記表示面に表示される上記色を継続して表示しようとするとき、当該色に対応する上記フレーム群の前又は後の、当該色以外の色に対応する上記フレーム群であって、かつ、当該色に対応する上記電位差とは逆極性の電位差を出力させる上記フレーム群で上記逆極性の電位差を上記電気泳動素子の上記画素電極と上記対向電極との間に印加する第３の手段を備えることを特徴としている。
【００２１】
請求項３記載の発明は、請求項１又は２記載の電気泳動表示装置に係り、上記第２の手段は、任意の上記画面で上記電気泳動素子に上記所定の電位差を印加させるのに必要なフレーム数と、上記画面に続く上記画面であって上記所定の電位差を印加させていた上記電気泳動素子に上記所定の電位差とは逆極性の電位差を印加させるときのフレーム数とを略同一にする第４の手段を備えることを特徴としている。
【００２２】
請求項４記載の発明は、請求項３記載の電気泳動表示装置に係り、上記第４の手段は、第１の画面で上記電気泳動素子に上記所定の電位差を印加させるのに必要なフレーム数Ｔ１と、上記第1の画面に続く第２の画面で上記所定の電位差を印加させていた上記電気泳動素子に上記所定の電位差とは逆極性の上記電位差を印加させるときのフレーム数Ｔ２と、上記第2の画面に続く第３の画面で上記逆極性の電位差を印加させていた上記電気泳動素子に上記逆極性の電位差を印加させるときのフレーム数Ｔ３と、上記第3の画面に続く第４の画面で上記逆極性の電位差を印加させていた上記電気泳動素子に上記所定の電位差を印加させるときのフレーム数Ｔ４との間に、次式
Ｔ２＋Ｔ３＝Ｔ１＋Ｔ４
を成立させるように構成されることを特徴としている。
【００２３】
請求項５記載の発明は、請求項１、２、３又は４記載の電気泳動表示装置に係り、上記第２の手段は、上記電気泳動素子の電界応動能力が低い帯電粒子を上記対向電極へ移動させるフレーム群を画面形成の最後のフレーム群に設定する第５の手段を備えることを特徴としている。
【００２４】
請求項６記載の発明は、請求項１乃至５のいずれか一に記載の電気泳動表示装置に係り、上記第２の手段は、上記画面を切り換える際に上記電位差が異なるとき、上記切り換え前に印加されている上記電位差と上記切り換え後に印加しようとする上記電位差との中間の電位差を上記電気泳動素子の上記画素電極と上記対向電極との間に印加する第６の手段を備えることを特徴としている。
【００２５】
請求項７記載の発明は、請求項６記載の電気泳動表示装置に係り、上記第６の手段は、上記画面の切り換えにおいて、上記電気泳動素子に表示させていた色を上記色のうちの１つの色から上記他の色へ変更する際に上記電気泳動素子の上記画素電極と上記対向電極との間に印加される上記中間の電位差をＶ１とするときの該中間の電位差Ｖ１を印加するフレーム数をＴ１とし、上記電気泳動素子に表示させていた色を上記他の色から上記１つの色へ変更する際に上記電気泳動素子の上記画素電極と上記対向電極との間に印加される上記中間の電位差をＶ２とするときの該中間の電位差Ｖ２を印加するフレーム数をＴ２とするとき、
Ｖ１×Ｔ１＝Ｖ２×Ｔ２
を成立させるように構成されることを特徴としている。
【００２６】
請求項８記載の発明は、請求項１乃至７のいずれか一に記載の電気泳動表示装置に係り、上記電気泳動表示パネルは、上記第１の基板の上記画素電極が、上記走査線の信号によって制御されるゲート素子を介して上記信号線に接続され、上記第２の基板が上記第１の基板全域と対向する一枚の透明な対向電極を有し、上記第１の帯電着色粒子及び上記第２の帯電着色粒子はカプセル内に充填される溶媒中に浮遊せしめられ、上記カプセルは上記第１の基板と上記第２の基板との間のバインダ中に敷き詰められていることを特徴としている。
【００２７】
請求項９記載の発明は、請求項１乃至８のいずれか一に記載の電気泳動表示装置に係り、上記異なる色は、黒色と白色であり、上記中間調の色は灰色であることを特徴している。
【００２８】
請求項１０記載の発明は、請求項１乃至８のいずれか一に記載の電気泳動表示装置に係り、上記異なる色は、黒色と白色とであり、上記中間調の色は明灰色と暗灰色とであることを特徴としている。
【００２９】
請求項１１記載の発明は、請求項１０記載の電気泳動表示装置に係り、明灰色と暗灰色との間の遷移を白色を介して行うことを特徴としている。
【００３０】
請求項１２記載の発明は、第１の方向に沿って互いに平行して延びる複数の信号線と、上記第１の方向と直交する第２の方向に沿って平行して延びる複数の走査線と、上記信号線と上記走査線との交点と１対１に対応して設けられた複数の画素電極を配置している第１の基板と、上記画素電極と対向する透明な対向電極を有する第２の基板と、上記画素電極と上記対向電極との間に移動可能に収蔵される互いに異なる色及び極性を持つ第1の帯電着色粒子及び第２の帯電着色粒子とを有し、上記画素電極と上記対向電極毎に電気泳動素子を形成している電気泳動表示パネルの表示面に上記異なる色と上記異なる色の中間調の色とからなるパターンの画面を表示させる際に、上記パターンの画素を表示する上記電気泳動素子の上記画素電極と上記対向電極との間に上記電気泳動素子に表示しようとする色に対応する電位差を所定数のフレームの期間印加して上記画面を表示させる電気泳動表示装置の駆動方法に係り、上記電気泳動素子に表示しようとする色毎の上記電位差を所定の順序で出力させるフレーム群を上記画面毎に生成し、上記画面の表示において、上記第１の手段によって順次生成される上記フレーム群において当該フレーム群の電位差を当該フレームで表示すべき上記パターンの上記画素に対応する上記電気泳動素子の上記画素電極と上記対向電極との間に印加することを特徴としている。
【００３１】
請求項１３記載の発明は、請求項１２記載の電気泳動表示装置の駆動方法に係り、上記表示面に表示される上記色を継続して表示しようとするとき、当該色に対応する上記フレーム群の前又は後の、当該色以外の色に対応する上記フレーム群であって、かつ、当該色に対応する上記電位差とは逆極性の電位差を出力させる上記フレーム群で上記逆極性の電位差を上記電気泳動素子の上記画素電極と上記対向電極との間に印加することを特徴としている。
【００３２】
請求項１４記載の発明は、請求項１２又は１３記載の電気泳動表示装置の駆動方法に係り、任意の上記画面で上記電気泳動素子に上記所定の電位差を印加させるのに必要なフレーム数と、上記画面に続く上記画面であって上記所定の電位差を印加させていた上記電気泳動素子に上記所定の電位差とは逆極性の電位差を印加させるときのフレーム数とを略同一にすることを特徴としている。
【００３３】
請求項１５記載の発明は、請求項１４記載の電気泳動表示装置の駆動方法に係り、第１の画面で上記電気泳動素子に上記所定の電位差を印加させるのに必要なフレーム数Ｔ１と、上記第1の画面に続く第２の画面で上記所定の電位差を印加させていた上記電気泳動素子に上記所定の電位差とは逆極性の上記電位差を印加させるときのフレーム数Ｔ２と、上記第2の画面に続く第３の画面で上記逆極性の電位差を印加させていた上記電気泳動素子に上記逆極性の電位差を印加させるときのフレーム数Ｔ３と、上記第3の画面に続く第４の画面で上記逆極性の電位差を印加させていた上記電気泳動素子に上記所定の電位差を印加させるときのフレーム数Ｔ４との間に、次式
Ｔ２＋Ｔ３＝Ｔ１＋Ｔ４
を成立させることを特徴としている。
【００３４】
請求項１６記載の発明は、請求項１２、１３、１４又は１５記載の電気泳動表示装置の駆動方法に係り、上記電気泳動素子の電界応動能力が低い帯電粒子を上記対向電極へ移動させるフレーム群を画面形成の最後のフレーム群に設定することを特徴としている。
【００３５】
請求項１７記載の発明は、請求項１２乃至１６のいずれか一に記載の電気泳動表示装置の駆動方法に係り、上記画面を切り換える際に上記電位差が異なるとき、上記切り換え前に印加されている上記電位差と上記切り換え後に印加しようとする上記電位差との中間の電位差を上記電気泳動素子の上記画素電極と上記対向電極との間に印加することを特徴としている。
【００３６】
請求項１８記載の発明は、請求項１７記載の電気泳動表示装置の駆動方法に係り、上記画面の切り換えにおいて、上記電気泳動素子に表示させていた色を上記色のうちの１つの色から上記他の色へ変更する際に上記電気泳動素子の上記画素電極と上記対向電極との間に印加される上記中間の電位差をＶ１とするときの該中間の電位差Ｖ１を印加するフレーム数をＴ１とし、上記電気泳動素子に表示させていた色を上記他の色から上記１つの色へ変更する際に上記電気泳動素子の上記画素電極と上記対向電極との間に印加される上記中間の電位差をＶ２とするときの該中間の電位差Ｖ２を印加するフレーム数をＴ２とするとき、
Ｖ１×Ｔ１＝Ｖ２×Ｔ２
を成立させることを特徴としている。
【００３７】
請求項１９記載の発明は、請求項１２乃至１８のいずれか一に記載の電気泳動表示装置の駆動方法に係り、上記電気泳動表示パネルは、上記第１の基板の上記画素電極が、上記走査線の信号によって制御されるゲート素子を介して上記信号線に接続され、上記第２の基板が上記第１の基板全域と対向する一枚の透明な対向電極を有し、上記第１の帯電着色粒子及び上記第２の帯電着色粒子はカプセル内に充填される溶媒中に浮遊せしめられ、上記カプセルは上記第１の基板と上記第２の基板との間のバインダ中に敷き詰められていることを特徴としている。
【００３８】
請求項２０記載の発明は、請求項１２乃至１９のいずれか一に記載の電気泳動表示装置の駆動方法に係り、上記異なる色は、黒色と白色であり、上記中間調の色は灰色であることを特徴としている。
【００３９】
請求項２１記載の発明は、請求項１２乃至１９のいずれか一に記載の電気泳動表示装置の駆動方法に係り、上記異なる色は、黒色と白色とであり、上記中間調の色は明灰色と暗灰色とであることを特徴としている。
【００４０】
請求項２２記載の発明は、請求項２１記載の電気泳動表示装置の駆動方法に係り、明灰色と暗灰色との間の遷移を白色を介して行うことを特徴としている。
【発明の効果】
【００４１】
この発明によれば、複数の画素（電気泳動素子）がマトリクス状に配列される電気泳動表示パネルの表示面の画素に２つの異なる色とこれらの色の中間調の色とからなるパターンの画面を表示させるのに、電気泳動素子に表示しよとする色毎の電位差を所定の順序で出力させるフレーム群を画面毎に生成し、画面の表示において順次生成されるフレーム群において当該フレーム群の電位差を当該フレームで表示すべきパターンの画素に対応する電気泳動素子の画素電極と対向電極との間に印加するようにしているから、電気泳動素子に表示しよとする色に応じて必要となる電位差を画面内又は画面間での電気泳動素子の画素電極と対向電極との間に印加させることが可能になる。
したがって、例えば、白黒とその中間調の色とからなるパターンを表示する場合に、残像や焼付きの防止を図ることができる。
【発明を実施するための最良の形態】
【００４２】
この発明は、複数の画素（電気泳動素子）がマトリクス状に配列される電気泳動表示パネルの表示面の画素に２つの異なる色とこれらの色の中間調の色とからなるパターンの画面を表示させる際に、電気泳動素子に表示しよとする色毎の電位差を所定の順序で出力させるフレーム群を画面毎に生成させ、画面の表示において順次生成されるフレーム群において当該フレーム群の電位差を当該フレームで表示すべきパターンの画素に対応する電気泳動素子の画素電極と対向電極との間に印加させることを含んで構成される。
【実施例１】
【００４３】
図１は、この発明の実施例１であるマイクロカプセル型電気泳動表示装置の駆動回路を示す図、図２は、同マイクロカプセル型電気泳動表示装置のデータドライバを示す図、図３は、同マイクロカプセル型電気泳動表示装置の駆動における状態遷移図、図４は、同マイクロカプセル型電気泳動表示装置の残像と印加電圧との関係を説明する図、図５は、同マイクロカプセル型電気泳動表示装置のデータドライバの駆動波形図、図６は、同マイクロカプセル型電気泳動表示装置の駆動において白状態から白状態への遷移間に黒状態を入れた場合の効果を説明する図、図７は、同マイクロカプセル型電気泳動表示装置の第２の残像が発生する状態を示す図、また、図８は、同マイクロカプセル型電気泳動表示装置の第２の残像が無くなる状態を示す図である。
【００４４】
この実施例のマイクロカプセル型電気泳動表示装置１０は、画面を形成するフレームを複数のマイナスフレーム群と複数のプラスフレーム群とに分け、同色（同階調）間の遷移を行う際のマイナスフレーム数とプラスフレーム数とを一致させ、異色（異階調）間の遷移を行う際のマイナスフレーム数とプラスフレーム数とを一致させると共に、粒子の移動を遅緩させる要因の大きい粒子についての書込みフレームを画面内の最後のフレーム群にする装置に係り、図１に示すように、ｍ行ｎ列のマトリクス状配列のマイクロカプセル型電気泳動素子１００-mn（ｍ＝１、２、…、Ｍ、ｎ＝１、２、…、Ｎ）を走査ドライバ１２とデータドライバ１４とにより駆動するようにして概略構成されている。マイクロカプセル型電気泳動素子１００-mn自体の構成は、従来と同様、図１５に示すものと同じである。
【００４５】
マイクロカプセル型電気泳動素子１００-mnは、ＴＦＴゲート１０４-mnを介して走査線Ｇｍとデータ線Ｄｎとに接続されている。
走査ドライバ１２は、ＴＦＴゲート１０４-mnがｐＭＯＳで構成されているとすると、走査線Ｇｍに負のゲート電圧を出力するドライバである。
データドライバ１４は、マイクロカプセル型電気泳動素子１００-mnの画素の書き換えにおいてその書き換えの総フレームについて見た場合に、そのマイクロカプセル型電気泳動素子１００-mnにＤＣを掛けてしまわない時系列の電圧をデータ線Ｄｎに送出するドライバである。
【００４６】
データドライバ１４は、図２に示すように、選択信号発生回路２６と電圧選択回路２８とから構成される。選択信号発生回路２６は、電圧選択回路２８からＶwb、Ｖbg、Ｖgb＝−Ｖbg、Ｖgg+、０ボルト、Ｖgg-＝−Ｖgg+、Ｖwg、Ｖgw＝−Ｖwg、Ｖbw＝−Ｖwbから成る時系列の電圧を出力させる該時系列対応の選択信号を出力する回路であり、電圧選択回路２８は、上記選択信号に応じて決まる電圧の時系列をデータ線Ｄｎに送出する。Ｖwbは、例えば、＋１５ボルト（白（Ｗ）から黒（Ｂ）の書込みを行うときの電圧）で、Ｖbgは、例えば、＋７．５ボルト（Ｂから灰色（Ｇ）の書込みを行う電圧）で、Ｖgb＝−Ｖbgは、例えば、−７．５ボルト（ＧからＢの書込みを行う電圧）で、Ｖgg+は、＋７．５ボルト（Ｇへの書込みを行う電圧）で、Ｖgg-＝−Ｖgg+は、−７．５ボルト（Ｇの間でＷの書込みを行う電圧）で、Ｖwgは、例えば、＋７．５ボルト（ＷからＧの書込みを行う電圧）で、Ｖgw＝−Ｖwgは、例えば、−７．５ボルト（ＧからＷの書込みを行う電圧）で、Ｖbw＝−Ｖwbは、例えば、−１５ボルトの電圧（白（Ｗ）の書込みを行うときの電圧）である。
【００４７】
選択信号は、画像の各画面の画素データによって決まるもので、各画面の画素データに従って切り換えられる信号である。すなわち、各画面は、所定数のプラスフレーム群と所定数のマイナスフレーム群とで構成される。例えば、図５に示すように、各画面は、２つのプラスフレーム群と１つのマイナスフレーム群とで構成される。Ｗ→Ｗ、B→B及びＧ→Ｇの遷移、並びにＢ→Ｗ、Ｗ→Ｂ、Ｗ→Ｇ、Ｇ→Ｗ、Ｂ→Ｇ及びＧ→Ｂの遷移を生じさせる選択信号は、次の条件を満たすようにして生成する(図３、図５)。以下の説明は、画面がプラスフレーム群、マイナスフレーム群及びプラスフレーム群で構成される場合について説明する。
【００４８】
電気泳動素子１００-mnを白（Ｗ）が継続する状態で駆動する場合（Ｗ→Ｗ→Ｗ…が継続する場合）に、画面のマイナスフレーム群でＷの書込みを行うが、そのマイナスフレーム群の前又は後のプラスフレーム群で黒（Ｂ）の遷移を入れる（図５の（１））。
この場合に、Ｂの書込み時に電気泳動素子１００-mnの画素電極１０６-mn（図１５）に印加する電圧をＶwbとする一方、Ｗの書込み時に電気泳動素子１００-mnの画素電極１０６-mnに印加する電圧をＶbw＝−Ｖwbとし、Ｗの書込みを行うフレーム数をＴww-とする一方、Ｂの書込みを行うフレーム数をＴww+とする。
そのとき、下式、すなわち、
Ｔww+＝Ｔww-  ……（１）
を満たすようにする。
【００４９】
また、電気泳動素子１００-mnを或る画面内で黒が継続する状態で駆動する場合（Ｂ→Ｂ→Ｂ…が継続する場合）に、画面のプラスフレーム群でＧの書込みを行うが、その黒フレーム群の前又は後のマイナスフレーム群で白（Ｗ）の遷移を入れる（図５の（９））。
この場合に、Ｗの書込み時に電気泳動素子１００-mnの画素電極１０６-mnに印加する電圧をＶbw＝−Ｖwbとする一方、Ｂの書込み時に電気泳動素子１００-mnの画素電極１０６-mnに印加する電圧をＶwbとし、Ｗの書込みを行うマイナスフレーム群のフレーム数をＴbb-とする一方、Ｂの書込みを行うプラスフレーム群のフレーム数をＴbb+とする。
そのとき、下式、すなわち、
Ｔbb+＝Ｔbb-  ……（２）
を満たすようにする。
【００５０】
また、電気泳動素子１００-mnを灰色（Ｇ）が継続する状態で駆動する場合（Ｇ→Ｇ→Ｇ…が継続する場合）に、画面のプラスフレーム群でＧの書込みを行うが、その黒フレーム群の前又は後のマイナスフレーム群で白（Ｗ）の遷移を入れる（図５の（４））。
この場合に、Ｗの書込み時に電気泳動素子１００-mnの画素電極１０６-mnに印加する電圧をＶgg-とする一方、Ｇの書込み時に電気泳動素子１００-mnの画素電極１０６-mnに印加する電圧をＶgg+とし、Ｗの書込みを行うマイナスフレーム群のフレーム数をＴgg-とする一方、Ｇの書込みを行うプラスフレーム群のフレーム数をＴgg+とする。
そのとき、下式、すなわち、
Ｔgg+＝Ｔgg-  ……（３）
を満たすようにする。
【００５１】
また、順次の画面でＷ→Ｂの書込みを行い、続く画面でＢ→Ｗの書込みを行う場合において、Ｗ→ＢにおけるＷの書込みにおいて電気泳動素子１００-mnの画素電極１０６-mnに印加する電圧Ｖbw＝−Ｖwbをとし、Ｂの書込みにおいて電気泳動素子１００-mnの画素電極１０６-mnに印加する電圧をＶwbとして、Ｗの書込みを行うマイナスフレーム群のフレーム数をＴwb(-)とし、Ｂの書込みを行うプラスフレーム群のフレーム数をＴwb(+)とし、Ｂ→ＷにおけるＢの書込みにおいて電気泳動素子１００-mnの画素電極１０６-mnに印加する電圧をＶwbとし、そのＷの書込みにおいて電気泳動素子１００-mnの画素電極１０６-mnに印加する電圧ＶbwをとしてＢの書込みを行うプラスフレーム群のフレーム数をＴbw(+)とし、Ｗの書込みを行うマイナスフレーム群のフレーム数をＴbw(-)としたとき、
Ｔwb(+)＋Ｔbw(+)＝Ｔbw(-)＋Ｔwb(-)  ……（４）
とする。
【００５２】
また、順次の画面でＷ→Ｇの書込みを行い、続く画面でＧ→Ｗの書込みを行う場合において、Ｗ→ＧにおけるＷの書込みにおいて電気泳動素子１００-mnの画素電極１０６-mnに印加する電圧をＶgwとし、Ｇの書込みにおいて電気泳動素子１００-mnの画素電極１０６-mnに印加する電圧をＶwg＝−Ｖgwとして、Ｗの書込みを行うマイナスフレーム群のフレーム数をＴwg(-)とし、Ｇの書込みを行うプラスフレーム群のフレーム数をＴwg (+)とし、Ｇ→ＷにおけるＧの書込みにおいて電気泳動素子１００-mnの画素電極１０６-mnに印加する電圧をＶwgとし、そのＷの書込みにおいて電気泳動素子１００-mnの画素電極１０６-mnに印加する電圧をＶgwとしてＧの書込みを行う黒フレーム群のフレーム数をＴgw (+)とし、Ｗの書込みを行う白フレーム群のフレーム数をＴgw(-)としたとき、
Ｔwg(+)＋Ｔgw(+)＝Ｔgw(-)＋Ｔwg(-)  ……（５）
とする。
【００５３】
また、順次の画面でＢ→Ｇの書込みを行い、続く画面でＧ→Ｂの書込みを行う場合において、Ｂ→ＧにおけるＢの書込みにおいて電気泳動素子１００-mnの画素電極１０６-mnに印加する電圧をＶgbとし、Ｇの書込みにおいて電気泳動素子１００-mnの画素電極１０６-mnに印加する電圧をＶbg＝−Ｖgbとして、Ｗの書込みを行うマイナスフレーム群のフレーム数をＴbg（−）とし、Ｇの書込みを行うプラスフレーム群のフレーム数をＴbg（＋）とし、Ｇ→ＢにおけるＢの書込みにおいて電気泳動素子１００-mnの画素電極１０６-mnに印加する電圧をＶbgとし、そのＢの書込みにおいて電気泳動素子１００-mnの画素電極１０６-mnに印加する電圧をＶgbとしてＢの書込みを行うプラスフレーム群のフレーム数をＴgb(+)とし、Ｗの書込みを行うマイナスフレーム群のフレーム数をＴgb(-)としたとき、
Ｔbg(+)＋Ｔgb(+)＝Ｔgb(-)＋Ｔbg(-)  ……（６）
とする。
【００５４】
但し、Ｗ→Ｇ、Ｇ→Ｗの場合及びＢ→Ｇ、Ｇ→Ｂの場合において、電圧についてはＶgw(+)＝−Ｖgw(+)、Ｖgb(-)＝−Ｖbg(+)を成立させるが、必ずしもＶgwとＶgbの絶対値は等しくする必要はないし、Ｖgg+、Ｖgg-と等しい必要もない。
その理由は、図４に示す遷移状態において、白粒子と黒粒子との電荷の帯電量が等しくなく、また溶媒中のモビリティ（移動度）も等しくないので、図４の左側の図に示すように電圧を等しくすると残像が発生するからである。
このことは、Ｇ→Ｇの場合にも、当て嵌まる。
【００５５】
次に、図１乃至図８を参照して、この実施例の動作を説明する。
この実施例においては、マイクロカプセル型電気泳動表示装置の各電気泳動素子１００-mnの駆動において、電気泳動素子１００-mnを白の表示状態（以下、単にＷともいう）から黒の表示状態（以下、単にＢともいう）へ遷移させる場合と、電気泳動素子１００-mnをＢからＷへ遷移させる場合の駆動は、次の点を除いて、従来と同様である。
すなわち、画像を表示するいずれの画面も、複数のプラスフレーム群と複数のマイナスフレーム群とを時系列的な所定順序で配置して構成される。例えば、図５に示すように、各画面は、１つのプラスフレーム群、１つのマイナスフレーム群及び１つのプラスフレーム群がこの順序で配列されて構成される。
【００５６】
或る画面（第1の画面という）からこれに続いて第2の画面、第３の画面、そして第４の画面を順次Ｂ→Ｗ→Ｂ→Ｗの表示状態へ切り換える場合について説明する。
第１の画面の第２のプラスフレーム群内の前方所定数のプラスフレーム（そのフレーム数Ｔwb(+)において、走査ドライバ１２からゲート線ＧｍにＴＦＴゲート１０４-mnをオンさせる信号を送出し、データドライバ１４のデータ線Ｄｎから電気泳動素子１００-mnの画素電極１０６-mnにＶwb、例えば、＋１５ボルトの電圧を印加して電気泳動素子１００-mnにＢを書き込み、電気泳動素子１００-mnを黒で表示させ、第２のプラスフレーム群内の後方所定数のプラスフレームで電気泳動素子-mnの画素電極１０６-mnに０ボルトの電圧を印加してその表示状態を継続している状態において（図５の（５））、第２の画面のマイナスフレーム群（そのフレーム数Ｔbw(-)）でその電気泳動素子１００-mnをＷに遷移させるには、走査ドライバ１２からゲート線ＧｍにＴＦＴゲート１０４-mnをオンさせる信号を送出し、第２の画面のマイナスフレーム群でデータドライバ１４のデータ線Ｄｎから電気泳動素子１００-mnの画素電極１０６-mnにＶbw、例えば、−１５ボルトの電圧を印加する。
【００５７】
この電気泳動素子１００-mnの画素電極への０ボルト、そしてＶbwボルトの電圧の印加について図2を用いて説明すると、画面データを受け取る選択信号発生回路２６は、電気泳動素子１００-mnにＷを生じさせる場合においては、第１の画面の第２のプラスフレーム群の後方所定数のプラスフレームで選択線３８-n上に負の電圧を出力する。これにより、電圧選択回路２８のpMOS、例えば、pMOS４８-nはオンしてデータ線Ｄｎに０ボルトの電圧を出力する。そして、上記画素に対応する選択線、例えば、選択線３１-n上に第２の画面のマイナスフレーム群で負の電圧を出力する。これにより、電圧選択回路２８のpMOS、例えば、pMOS４１-nはオンしてデータ線ＤｎにＶbwボルトの電圧を出力する。
【００５８】
このようにして、電気泳動素子１００-mnの画素電極１０６-mnにＶbwボルト、例えば、−１５ボルトの電圧を印加すると、画素電極１０６-mnに正に帯電している黒色の炭素粒子を引き付ける一方、負に帯電している白色の酸化チタン粒子を対向電極１２２へ追い遣る。かくして、電気泳動素子１００-mnは、黒状態から白状態に遷移する（図５の（５））。
【００５９】
そして、遷移された白の表示状態（Ｗ）にある画面（上述の第２の画面）の次の画面（第３の画面）でその電気泳動素子１００-mnをＢに遷移させるには、走査ドライバ１２からゲート線ＧｍにＴＦＴゲート１０４-mnをオンさせる信号を送出し、かつ、データドライバ１４のデータ線Ｄｎから電気泳動素子１００-mnの画素電極１０６-mnにＶwbボルト、例えば、＋１５ボルトの電圧を印加させる。
【００６０】
この電気泳動素子１００-mnの画素電極へのＶwbの電圧の印加について図2を用いて説明すると、画面データを受け取る選択信号発生回路２６は、電気泳動素子１００-mnに生じさせているＷから第３の画面の第２のプラスフレーム群内の前方所定数のプラスフレーム（そのフレーム数Ｔwb(+)）でＢへ遷移させるには、上記画素に対応する選択線、例えば、選択線３０-n上に第２のプラスフレーム群内の前方所定数のプラスフレームで負の電圧を出力する。これにより、電圧選択回路２８のpMOS４０-nはオンしてデータ線Ｄｎに第２のプラスフレーム群内の前方所定数のプラスフレームでＶwbボルトの電圧を出力する。そして、第２のプラスフレーム群内の前方所定数のプラスフレームに続くプラスフレームで選択信号発生回路２６から選択線３８-n上に負の電圧を出力する。これにより、電圧選択回路２８のpMOS４８-nはオンしてデータ線Ｄｎに第２のプラスフレーム群内の前方所定数のプラスフレームに続くプラスフレームで０ボルトの電圧を出力する。
【００６１】
このようにして、電気泳動素子１００-mnの画素電極１０６-mnにＶwb、例えば、＋１５ボルトの電圧を印加すると、画素電極１０６-mnに負に帯電している白色の酸化チタン粒子を引き付ける一方、正に帯電している黒色の炭素粒子を対向電極１２２へ追い遣る。かくして、電気泳動素子１００-mnは、白状態から黒状態に遷移する（図５の（６））。
【００６２】
そして、遷移された黒の表示状態（Ｂ）にある画面（第３の画面）の次の画面（第４の画面）でその電気泳動素子１００-mnをＷに遷移させるには、走査ドライバ１２からゲート線ＧｍにＴＦＴゲート１０４-mnをオンさせる信号を送出し、かつ、データドライバ１４のデータ線Ｄｎから電気泳動素子１００-mnの画素電極１０６-mnにＶbwボルト、例えば、−１５ボルトの電圧を印加させる。
【００６３】
この電気泳動素子１００-mnの画素電極へのＶbwの電圧の印加について図2を用いて説明すると、画面データを受け取る選択信号発生回路２６は、電気泳動素子１００-mnに生じさせているＢから第４の画面のマイナスフレーム群（そのフレーム数Ｔbw (-)）でＷへ遷移させるには、上記画素に対応する選択線、例えば、選択線３１-n上にマイナスフレーム群で負の電圧を出力する。これにより、電圧選択回路２８のpMOS４１-nはオンしてデータ線Ｄｎにマイナスフレーム群でＶbwボルトの電圧を出力する。
【００６４】
このようにして、電気泳動素子１００-mnの画素電極１０６-mnにＶbwボルト、例えば、−１５ボルトの電圧を印加すると、画素電極１０６-mnに正に帯電している黒色の炭素粒子を引き付ける一方、負に帯電している白色の酸化チタン粒子を対向電極１２２へ追い遣る。かくして、電気泳動素子１００-mnは、黒状態から白状態に遷移する（図５の（５））。
【００６５】
上述のように、電気泳動素子１００-mnは、ＢとＷとが画面毎に切り換えられ、又はＷとＢとが画面毎に切り換えられる場合に、Ｂを生じさせるプラスフレーム群のフレーム数とＷを生じさせるマイナスフレーム群のフレーム数とは、上述した式（３）を満たすように設定される。
これにより、電気泳動素子１００-mnに直流電圧は印加されず、ＢからＷへ切り換えられ、そしてＷからＢへ切り換えられる場合に、焼付きの問題は生じない。
これと同様の問題が、ＧからＷへ切り換えられ、ＷからＧへ切り換えられる場合にも、また、ＧからＢへ切り換えられ、ＢからＧへ切り換えられる場合にもあるが、ＢからＷへ切り換えられ、ＷからＢへ切り換えられる場合についての説明を図３に示す状態遷移図に照らし合わせつつ参照すれば、ＧからＷへ切り換えられ、ＷからＧへ切り換えられる場合に生じ、また、ＧからＢへ切り換えられ、ＢからＧへ切り換えられる場合にも生ずる焼付きの解消になることを理解できると考えられるので、それらの逐一の説明は省略する。
【００６６】
ただ、参照の便宜のため、参照する際の読み替え事項を以下の通り付言する。
ＢからＷへ切り換えられ、ＷからＢへ切り換えられる場合におけるＶbw及びＶwbを、ＧからＷへ切り換えられ、ＷからＧへ切り換えられる場合については、Ｖgw及びＶwgと読み替え、また、ＧからＢへ切り換えられ、ＢからＧへ切り換えられる場合については、Ｖgb及びＶbgと読み替える。
これに加えて、ＢからＷへ切り換えられ、ＷからＢへ切り換えられる場合におけるＴwb(+)、Ｔw b (-)、Ｔbw (+)及びＴbw (-)を、ＧからＷへ切り換えられ、ＷからＧへ切り換えられる場合については、Ｔwg (+)、Ｔwg (-)、Ｔgw (+)及びＴgw (-)と読み替え、また、ＧからＢへ切り換えられ、ＢからＧへ切り換えられる場合については、Ｔgb (+)、Ｔbg (-)、Ｔbg (+)及びＴbg (-)と読み替える。
【００６７】
また、図２について云えば、ＷからＢへ切り換えられ、ＢからＷへ切り換えられる場合における選択線３０-n及び３１-nを、ＷからＧへ切り換えられ、ＧからＷへ切り換えられる場合については選択線３２-n及び３３-nと、ＧからＢへ切り換えられ、ＢからＧへ切り換えられる場合については選択線３４-n及び３５-nと読み替え、ＢからＷへ切り換えられ、ＷからＢへ切り換えられる場合におけるｐＭＯＳ４０-n及び４１-nを、ＧからＷへ切り換えられ、ＷからＧへ切り換えられる場合についてはｐＭＯＳ４２-n及び４３-nと、ＧからＢへ切り換えられ、ＢからＧへ切り換えられる場合についてはｐＭＯＳ４４-n及び４５-nと読み替える。
【００６８】
この実施例における電気泳動素子１００-mnをＷからＷへ遷移させる場合及び電気泳動素子１００-mnをＢからＢへ遷移させる場合の駆動は、次の通りである。
電気泳動素子１００-mnをＷからＷへ遷移させる場合の駆動は、図５の（１）に示すように、画面毎にＷを表示する場合に、その画面のマイナスフレーム群の前の第1のプラスフレーム群でＢの書込みを行う。
このようにして入れられる第1のプラスフレーム群のフレーム数Ｔww+と当該第1のプラスフレーム群に続いて入るマイナスフレーム群のフレーム数Ｔww-とは、同一とする。この場合の第1のプラスフレーム群でＢを書き込み、マイナスフレーム群でＷを書き込むために電気泳動素子１００-mnの画素電極１０６-mnへの電圧の印加は、図２に示すデータドライバ１２によって行われるが、それらの電圧の印加の仕方は、異なる色（階調）の遷移を生じさせる際に説明したところと同様であるので、その逐一の説明は省略する。
【００６９】
また、電気泳動素子１００-mnをＢからＢへ遷移させる場合の駆動は、図５の（９）に示すように、画面毎にＢを表示する場合に、その画面のマイナスフレーム群でＷの書込みを行う。
このようにして入れられるプラスフレーム群のフレーム数Ｔbb+と当該プラスフレーム群後のマイナスフレーム群のフレーム数Ｔbb-とは、同一とする。この場合のプラスフレーム群でＢを書き込み、マイナスフレーム群でＷを書き込むために電気泳動素子１００-mnの画素電極１０６-mnへの電圧の印加も、上述したＷからＷへ遷移させる場合と同じである。
【００７０】
また、電気泳動素子１００-mnをＧからＧへ遷移させる場合の駆動は、図５の（４）に示すように、画面毎にＧを表示する場合に、その画面のマイナスフレーム群でＷの書込みを行う。
このようにして入れられるプラスフレーム群のフレーム数Ｔgg+と当該プラスフレーム群後のマイナスフレーム群のフレーム数Ｔgg-とは、同一とする。この場合のプラスフレーム群でＧを書き込み、マイナスフレーム群でＷを書き込むために電気泳動素子１００-mnの画素電極１０６-mnへの電圧の印加も、上述したＷからＷへ遷移させる場合と同じである。
【００７１】
この駆動法によれば、図５に示すように、電気泳動素子１００-mnをＷからＷへ遷移させる際に、ＷとＷとの間にＢを入れてやると、電気泳動素子にチャージアップが生ずることなく、焼付きは生じない上、負の電圧（白電圧）が印加されて表示されるので、メモリ特性で白状態を維持しようとする場合に比して白輝度の低下（上述した第１の残像）を防止し得ることが実験的に確かめられた。
また、ＢからＢへ遷移させる場合に、その間にＷを入れると、メモリ特性で黒状態を維持しようとする場合に比して黒輝度の上昇（上述した第１の残像）を防止し得ることが実験的に確かめられた。また、ＧからＧへの遷移に際して、その間にＷを入れても、ＢからＢへ遷移させる場合に、その間にＷを入れるときと同様の効果が得られることが実験的に確かめられた。
【００７２】
上述した第２の残像の問題は、画素電極が１００〜１５０μｍ程度の微細なパターンの場合、当該電気泳動素子のマイクロカプセル内の粒子が、隣の電気泳動素子の画素電圧で発生する漏れ電界の影響を受けることで起きる。
この問題は、電気泳動素子の画素電極に電圧を印加しないときでも、また、電圧を印加した場合でも、当該電気泳動素子の隣の電気泳動素子からの漏れ電界があれば生ずる問題である。
【００７３】
そして、第２の残像の問題は、マイクロカプセル内の異なる粒子の帯電量の差違にも依存する。マイクロカプセル内の白粒子の帯電量と黒粒子の帯電量とを同一にすることは難しい。本発明者により評価したＥＤＰ素子では、白粒子であるＴｉＯの帯電量の方が、黒粒子である炭素粒子の帯電量よりも多いために、白粒子が早く移動する。
そのために、マイクロカプセルが画素電極の間に位置される場合は、当該マイクロカプセルの表面は白となり、白粒子が隣の画素にまで侵入することになる（図７）。このため、黒が浮くことになる。
【００７４】
この問題を解決するために、マイナスフレーム群とプラスフレーム群とを分け、粒子の帯電量、移動度等の少ない方のフレーム群、例えば、評価したＥＤＰ素子の例ではプラスフレーム群を画面の最後にし、プラスフレーム数を所要の数にするという手段を採用した。
この手段を用いると、一旦白粒子は、隣の画素にまで侵入するが（図７）、次に黒が書き込まれるので、画素の境界でマイクロカプセル中で黒粒子と白粒子とを領域的に分けることができ（図８）、上記第２の残像の問題は解決できる。
黒粒子が隣の画素電極にまで侵入しなかったのは、黒粒子の帯電量、移動度等が白粒子に比べて小さいことから、プラスフレーム群を画面の最後のフレーム群にし、且つ、書込みフレームの数を最適化したことによると考えられる。
【００７５】
以上説明したところにより、〔背景技術〕の項で説明した第１の残像、第２の残像及び焼付きの問題の解決に役立つことを実証し得た。
上述した駆動法を要約して言えば、電気泳動素子に書き込もうとするフレームをマイナスフレーム群とプラスフレーム群とに分け、帯電量、移動度等の少ない粒子の書込みフレーム群を最後にする。
そして、Ｗ→Ｗの遷移を生ぜしめようとするとき、マイナスフレーム群内で書き込まれるＷの前のプラスフレーム群内でＢの書込みを行い、そのとき、上述の式（１）を満たすようにする。
また、Ｂ→Ｂの遷移を生ぜしめようとするとき、プラスフレーム群内で書き込まれるＢの前のマイナスフレーム群内でＷの書込みを行い、そのとき、上述の式（２）を満たすようにする。
また、Ｇ→Ｇの遷移を生ぜしめようとするとき、その画面内のプラスフレーム群で書き込まれるＧの後のマイナスフレーム群内でＷの書込みを行い、そのとき、上述の式（３）を満たすようにする。
また、順次の画面でＷ→Ｂの書込みを行い、次いでＢ→Ｗの書込みを行う場合には、上述の式（４）を満たし、順次の画面でＷ→Ｇの書込みを行い、次いでＧ→Ｗの書込みを行う場合には、上述の式（５）を満たし、順次の画面でＢ→Ｇの書込みを行い、次いでＧ→Ｂの書込みを行う場合には、上述の式（６）を満たすようにする。
【００７６】
このように、この実施例によれば、画面を２つのプラスフレーム群との間に１つのマイナスフレーム群を入れるようにしてプラスフレーム群とマイナスフレーム群とを分け、Ｗの継続した遷移を生ぜしめるときには、Ｗの書込みの前にＢの書込みを入れ、これらのＷ及びＢの書込みフレーム数を式（１）を満たすようにしているから、Ｗの継続した遷移で生ずる第１の残像及び焼付きを解消させるのに役立つ。
また、Ｂの継続した遷移を生ぜしめるときには、Ｂの書込みの後にＷの書込みを入れ、これらのＢ及びＷの書込みフレーム数を式（２）を満たすようにしているから、Ｂの継続した遷移で生ずる第１の残像及び焼付きを解消させるのに役立つ。
また、Ｇの継続した遷移を生ぜしめるときには、Ｇの書込みの後にＷの書込みを入れ、これらのＧ及びＷの書込みフレーム数を式（３）を満たすようにしているから、Ｇの継続した遷移で生ずる第１の残像及び焼付きを解消させるのに役立つ。
【００７７】
また、異なる色（階調）、すなわち、Ｗ、Ｂ及びＧの継続した遷移を生じさせるときには、それらの書込みフレーム数を式（４）（５）及び（６）を満たすようにしているから、異なる色の継続した遷移で生ずる焼付きを解消させるのに役立つ。
また、黒フレーム群の書込みを画面の最後にすれば、第2の残像の解消に役立つ。
【実施例２】
【００７８】
図９は、この発明の実施例２であるマイクロカプセル型電気泳動表示装置の駆動における状態遷移図、図１０は、同マイクロカプセル型電気泳動表示装置の駆動タイムチャートを示す図である。
この実施例の構成が、実施例１のそれと大きく異なる点は、３階調駆動を４階調駆動に拡張して構成した点である。
すなわち、この実施例のマイクロカプセル型電気泳動表示装置１０Ａ（図９には図示せず）は、実施例１の中間調（灰色Ｇ）を明灰色LGと暗灰色DGとで構成し、ＷとＢとＬＧとの間の駆動とＷとＢとＤＧとの間の駆動については実施例１と同様の駆動を行い、ＬＧとＤＧとの間の駆動を次のように構成したものである。
【００７９】
ＬＧとＤＧとの間で遷移を生じさせる場合に、図９に示すように、一旦Ｗに遷移させる、すなわち、ＬＧ→Ｗ→ＤＧの遷移、ＤＧ→Ｗ→ＬＧの遷移を生じさせる。これは、電圧の調整の困難性を回避するためである。これにより、ＬＧ→Ｗ、Ｗ→ＤＧの場合と同様の駆動波形及び電圧の使用を可能にする。
【００８０】
この駆動を用いてのＤＧ←→ＬＧの遷移において、遷移をＤＧ→ＬＧ→ＤＧのように行わせるときＬＧとＤＧとの間にＷ状態を与えてＤＧ→Ｗ→ＬＧ、ＬＧ→Ｗ→ＤＧのようにする。
この場合におけるＤＧ→Ｗの遷移を生じさせるために、電気泳動素子１００-mnの画素電極に印加される電圧をＶw-dg(+)、例えば、＋１２ボルトとし、この電圧を印加するフレーム数をＴw-dg(+)とする。また、Ｗ→ＬＧの遷移を生じさせるために、電気泳動素子１００-mnの画素電極に印加される電圧をＶw-lg(-)、例えば、−５ボルトとし、この電圧を印加するフレーム数をＴw-lg(-)とする。さらに、ＬＧ→Ｗの遷移を生じさせるために、電気泳動素子１００-mnの画素電極に印加される電圧をＶw-lg(+)、例えば、＋５ボルトとし、この電圧を印加するフレーム数をＴw-lg(+)とする。また、Ｗ→ＤＧの遷移を生じさせるために、電気泳動素子１００-mnの画素電極に印加される電圧をＶw-dg(-)、例えば、−１２ボルトとし、この電圧を印加するフレーム数をＴw-dg(-)とする。
【００８１】
上述のＤＧ→ＬＧ→ＤＧの遷移を生じさせる場合の電圧とフレーム数とが上述したように表されるとしたとき、
Ｖw-dg(-)＝−Ｖw-dg(+)、Ｖw-lg(-)＝−Ｖw-lg(+)  ……（７）
Ｔw-dg(+)＝Ｔw-dg(-)、Ｔw-lg(+)＝Ｔw-lg(-)      ……（８）
とすると共に、絶対値Ｖw-dg、Ｖw-lgは画面に残像が生ぜず、所定の階調になる調整をして駆動を行う。
【００８２】
次に、図９及び図１０を参照して、この実施例の動作を説明する。
この実施例は、４階調、すなわち、Ｗ、Ｂ、ＬＧ、ＤＧで表示される。この４階調の表示におけるＷ、Ｂ、ＬＧの３階調及びＷ、Ｂ、ＤＧの３階調の駆動態様は、実施例１で説明したところと同じである。
したがって、４階調の表示の駆動態様のうちのＬＧ←→ＤＧの駆動態様について以下に説明する。
【００８３】
ＬＧ←→ＤＧの駆動態様において、ＬＧとＤＧとの間にＷを入れてＤＧ→Ｗ→ＬＧ、ＬＧ→Ｗ→ＤＧのようにする。
ＤＧからＬＧへの駆動におけるＤＧ→Ｗの遷移を生じさせるために、電気泳動素子１００-mnの画素電極に電圧Ｖw-dg(+)をフレーム数Ｔw-dg(+)の間印加する。
そして、Ｗ→ＬＧの遷移を生じさせるために、電気泳動素子１００-mnの画素電極に電圧Ｖw-lg(-)をフレーム数Ｔw-lg(-)の間印加する。
これらの印加により、ＤＧからＬＧへの遷移が行われる。
【００８４】
また、ＬＧからＤＧへの駆動におけるＬＧ→Ｗの遷移を生じさせるために、電気泳動素子１００-mnの画素電極に電圧Ｖw-lg(+)をフレーム数Ｔw-lg(+)の間印加する。
そして、Ｗ→ＤＧの遷移を生じさせるために、電気泳動素子１００-mnの画素電極に電圧Ｖw-dg(-)をフレーム数Ｔw-dg(-)の間印加する。
これらの印加により、ＬＧからＤＧへの遷移が行われる。
【００８５】
上述のＤＧ→ＬＧ→ＤＧの駆動において、その電圧とフレーム数との間に上記式（７）及び（８）を与え、かつ、電圧の絶対値Ｖw-dg、Ｖw-lgは画面に残像が生ぜず、所定の階調になる調整を行う。
上述した駆動を行う場合の具体例を図１０に示す。図１０において、その（１）は、ＤＧ→ＬＧの場合の駆動波形を示し、その（２）は、ＬＧ→ＤＧの場合の駆動波形を示す。
【００８６】
このように、この実施例の構成によれば、Ｗ、Ｂ、ＬＧ間の遷移及びＷ、Ｂ、ＤＧ間の遷移を実施例１と同様の遷移とし、ＤＧ←→ＬＧの遷移には上式（７）、（８）の条件を与え、かつ、電圧の絶対値Ｖw-dg、Ｖw-lgを上述所要の調整をしてマイクロカプセル型電気泳動表示装置を４階調で駆動しているので、４階調駆動においても、画面に生ずる残像、焼付けを解決できる。
【実施例３】
【００８７】
図１１は、実施例３であるマイクロカプセル型電気泳動表示装置で行われる駆動の状態遷移図、図１２は、同マイクロカプセル型電気泳動表示装置の駆動波形図、図１３は、実施例１又は実施例２の欠点を説明するタイムチャート、また、図１４は、実施例３の長所を説明するタイムチャートである。
この実施例の構成が、実施例１又は実施例２のそれと大きく異なる点は、実施例１又は実施例２では生ずる画面の切替り時にチカチカとした表示状態が入るのを防止するように構成した点である。
【００８８】
すなわち、この実施例のマイクロカプセル型電気泳動表示装置は、Ｗ→Ｂ→Ｗの遷移を生じさせるとき、Ｗ→Ｂの遷移時のプラスフレーム群での電圧を＋Ｖ（Ｖwb）、例えば、＋１５ボルトにするのではなく、図１１及び図１２に示すように、電気泳動素子をライトグレイ（ＬＧ）の表示状態にする中間電位（Ｖwb2）、例えば、＋７．５ボルトにした後のマイナスフレーム群で−１５ボルトに戻し、Ｂ→Ｗ→Ｂの遷移を生じさせるとき、Ｂ→Ｗの遷移時のマイナスフレーム群での電圧を−Ｖ（Ｖwb）、例えば、−１５ボルトにするのではなく、電気泳動素子をダークグレイ（ＤＧ）の表示状態にする中間電位（Ｖbw2）、例えば、＋１２ボルトにした後のプラスフレーム群で＋１５ボルトに戻す。
この関係は、Ｇ→Ｗ→Ｇのときにも、Ｗに駆動する電圧でなく、Ｇ→Ｗ→Ｇの遷移に応じた中間電位にした後に、プラスフレーム群でＧに駆動する電圧に戻す。但し、図１１及び図１２には、図面を簡略にするため、Ｇ→Ｗ→Ｇの遷移は、図示してない。
【００８９】
これに加えて、上述のいずれの遷移においても、Ｖwb2の中間電位が印加されるフレーム数をＴ１とし、Ｖbw2の中間電位が印加されるフレーム数をＴ２としたとき、次式
Ｖwb2×Ｔ１＝Ｖbw2×Ｔ２    ……（９）
とする。
これにより、電気泳動フィルムに直流電位の発生（チャージアップ）を抑制することができる。
上式（９）を成立させることにより、チャージアップを抑制することはできるが、マイクロカプセル中の黒粒子の移動という意味では、上式（９）を成立させても、黒粒子の移動量は同じではない。それは、電圧が低いと、黒粒子の移動量も少ないからである。
【００９０】
このようにすることにより、実施例１又は実施例２では、図１３に示すように、Ｗ→Ｂ→Ｗの駆動をするとき、白に続いて黒、そして白という明滅、すなわち、チカチカとした眩しさ（違和感）が生じる（フラッシングが生ずる）という不都合があるが、この実施例の駆動を行うことにより、図１４に示すように、白に続いてライトグレイ、そして白という表示状態になるので、表示内に生ずる違和感を大幅に緩和することができる。
実施例１又は実施例２での駆動法によれば、Ｂ→Ｗ→Ｂの駆動においては、黒に続いて白、そして黒という明滅、すなわち、チカチカとした眩しさ（違和感）が生じるという不都合があるが、この実施例の駆動によれば、黒に続いてダークグレイ、そして黒という表示状態になるので、表示内に生ずる違和感を大幅に緩和することができる。
【００９１】
このように、この実施例によれば、実施例１又は実施例２の効果を享受しつつ、フラッシングの緩和に役立つ。
【００９２】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、実施例では、画面内でＷ→Ｗ→Ｗ…と継続する場合に式（１）を成立させること、Ｂ→Ｂ→Ｂ…と継続する場合に式（２）を成立させること、また、Ｇ→Ｇ→Ｇ…と継続する場合に式（３）を成立させることについて説明したが、必ずしもその必要はなく、若干の違いがあっても許容される。
【００９３】
同様に、画面間でＷ→Ｂ→Ｂ→Ｗとなる駆動の場合に式（４）を成立させること、Ｗ→Ｇ→Ｇ→Ｗとなる駆動の場合に式（５）を成立させること、また、Ｂ→Ｇ→Ｇ→Ｂとなる駆動の場合に式（６）を成立させることについて説明したが、必ずしもその必要はなく、若干の違いがあってもよい。
また、ＤＧ→ＬＧ→ＤＧの場合に式（７）、（８）を成立させることについて説明したが、必ずしもその必要はなく、若干の違いがあってもよい。
上記各式の成立又は不成立のいずれかを問わず、電位差は、荷電粒子の材質や中間調によって適宜選択してこの発明を実施し得る。
【００９４】
上述のことを継受しながら、白色の帯電粒子と黒色の帯電粒子とがカプセル内に収蔵されて構成されるマイクロカプセル型電気泳動素子をその他の２つの色の帯電粒子とされてもこの発明は実施し得る。その場合に、マイクロカプセル型電気泳動素子の画素電極と対向電極との間に印加されるべき電位差は、それら粒子に応じて異なる。また、それら２つの色の中間調の色について必要となる電位差も異なる。
また、ＰＥＴ対向基板は、一枚の対向電極を貼り付けた透明なプラスチック基板について説明したが、例えば、走査線方向毎の対向電極で構成してもこの発明は実施し得る。
【産業上の利用可能性】
【００９５】
ここに開示しているマイクロカプセル型電気泳動表示装置及びその駆動方法は、各種の表示装置、例えば、情報処理装置、携帯端末装置、ビデオカメラの表示装置等として利用し得る。
【図面の簡単な説明】
【００９６】
【図１】図１は、この発明の実施例１であるマイクロカプセル型電気泳動表示装置の駆動回路を示す図である。
【図２】同マイクロカプセル型電気泳動表示装置のデータドライバを示す図である。
【図３】同マイクロカプセル型電気泳動表示装置の駆動における状態遷移図である。
【図４】同マイクロカプセル型電気泳動表示装置の残像と印加電圧との関係を説明する図である。
【図５】同マイクロカプセル型電気泳動表示装置のデータドライバの駆動波形図である。
【図６】同マイクロカプセル型電気泳動表示装置の駆動において白状態から白状態への遷移間に黒状態を入れた場合の効果を説明する図である。
【図７】同マイクロカプセル型電気泳動表示装置の第２の残像が発生する状態を示す図である。
【図８】同マイクロカプセル型電気泳動表示装置の第２の残像が無くなる状態を示す図である。
【図９】この発明の実施例２であるマイクロカプセル型電気泳動表示装置の駆動における状態遷移図である。
【図１０】同マイクロカプセル型電気泳動表示装置の駆動タイムチャートを示す図である。
【図１１】実施例３であるマイクロカプセル型電気泳動表示装置で行われる駆動の状態遷移図である。
【図１２】同マイクロカプセル型電気泳動表示装置の駆動波形図である。
【図１３】実施例１又は実施例２の欠点を説明するタイムチャートである。
【図１４】実施例３の長所を説明するタイムチャートである。
【図１５】従来のマイクロカプセル型電気泳動素子パネルの構造の断面図である。
【図１６】同マイクロカプセル型電気泳動表示装置のマトリクス状配列の電気泳動素子の模式図である。
【図１７】同マイクロカプセル型電気泳動表示装置の駆動回路を示す図である。
【図１８】同マイクロカプセル型電気泳動表示装置のデータドライバの一部構成を示す図である。
【図１９】同マイクロカプセル型電気泳動表示装置のデータドライバの駆動波形図である。
【図２０】同マイクロカプセル型電気泳動表示装置を駆動する状態遷移図である。
【図２１】同マイクロカプセル型電気泳動表示装置で生ずる第1の残像の問題を説明する図である。
【図２２】同マイクロカプセル型電気泳動表示装置で生ずる第1の残像の問題を説明するタイムチャートである。
【図２３】同マイクロカプセル型電気泳動表示装置で生ずる第２の残像の問題を説明する図である。
【図２４】同マイクロカプセル型電気泳動表示装置で生ずる第２の残像の問題を説明するためのパネル断面図である。
【符号の説明】
【００９７】
１０      マイクロカプセル型電気泳動表示装置
１２      走査ドライバ（第１の手段の一部、第２の手段の一部）
１４      データドライバ（第１の手段の残部、第２の手段の残部）
２６      選択信号発生回路（第１の手段の一部、第２の手段の一部）
２８      電圧選択回路（第１の手段の残部、第２の手段の残部）
【図１】
2007178785.tif 000003
【図２】
2007178785.tif 000004
【図３】
2007178785.tif 000005
【図４】
2007178785.tif 000006
【図５】
2007178785.tif 000007
【図６】
2007178785.tif 000008
【図７】
2007178785.tif 000009
【図８】
2007178785.tif 000010
【図９】
2007178785.tif 000011
【図１０】
2007178785.tif 000012
【図１１】
2007178785.tif 000013
【図１２】
2007178785.tif 000014
【図１３】
2007178785.tif 000015
【図１４】
2007178785.tif 000016
【図１５】
2007178785.tif 000017
【図１６】
2007178785.tif 000018
【図１７】
2007178785.tif 000019
【図１８】
2007178785.tif 000020
【図１９】
2007178785.tif 000021
【図２０】
2007178785.tif 000022
【図２１】
2007178785.tif 000023
【図２２】
2007178785.tif 000024
【図２３】
2007178785.tif 000025
【図２４】
2007178785.tif 000026